(57)【特許請求の範囲】
【請求項１】
ディジタル放送を受信してトランスポートストリームを出力するチューナと、前記トランスポートストリームから目的チャンネルのパケットを分離するデマルチプレクサと、前記パケットを受け取って各データを生成するデコーダと、を備え、字幕文データ及び字幕管理データを含む字幕データが多重されたディジタル放送波を受信して字幕を画面に表示するように構成された可搬型放送受信装置において、受信したディジタル放送に前記字幕文データ及び字幕管理データが存在するかどうかを判断する字幕情報判断手段と、受信したディジタル放送から取り出した目的チャンネルの番組を記録する録画手段と、前記録画手段にて録画を実行する場合に前記字幕文データは記録し前記字幕管理データについてはその記録を省く録画情報制御手段と、前記字幕情報判断手段の判断結果に基づいて字幕が無くなったかどうかを判断する手段とを備え、前記録画情報制御手段は、字幕が無くなったと判断されたときに字幕非表示を示す情報を字幕データとして記録させることを特徴とする可搬型放送受信装置。
【請求項２】
請求項１に記載の可搬型放送受信装置において、前記目的チャンネルのトランスポートストリームをデコードして得られる各データを用いてパーシャルＴＳを再構成する手段を備え、前記録画情報制御手段は、前記パーシャルＴＳを再構成するときに前記字幕管理データを省くことを特徴とする可搬型放送受信装置。
【請求項３】
請求項１に記載の可搬型放送受信装置において、前記字幕情報判断手段は、前記目的チャンネルのトランスポートストリーム内に字幕管理データが存在するかどうかを監視して存在するときには字幕管理データのパケット特定情報を前記録画情報制御手段に与え、前記録画情報制御手段は、前記目的チャンネルのトランスポートストリームを前記録画手段に供給するとともに前記パケット特定情報に基づいて字幕管理データのパケットを前記トランスポートストリームから省くことを特徴とする可搬型放送受信装置。
【発明の詳細な説明】
【技術分野】
【０００１】
この発明は、字幕文データ及び字幕管理データを含む字幕データが多重されたディジタル放送波を受信して字幕を画面に表示するように構成された可搬型放送受信装置に関する。
【背景技術】
【０００２】
近年、字幕データを有するディジタル放送波を受信して字幕を画面に表示することができる放送受信装置が知られている（特許文献１参照）。
【特許文献１】再表０３／０８１８７８号公報
【発明の開示】
【発明が解決しようとする課題】
【０００３】
字幕管理データと字幕文データはそのストリーム中に字幕が存在することを示す（ＡＲＩＢ  ＴＲ−Ｂ１４の６．２参照）。また、字幕管理データ及び字幕文データが受信された後、字幕文の表示が行われることが基本であるが、字幕管理データを受信せずとも、字幕文データを受信した時点で字幕の表示が可能である。また、地上ディジタル放送では、字幕文データ及び字幕管理データの標準送出頻度が１０秒（±５秒）と規定されており、字幕文データ及び字幕管理データが送出されないと字幕が無くなったと判断することが可能である。また、字幕文データの送出が５秒に満たない場合は字幕管理データの送出をやめることも認められている。
【０００４】
ところで、番組の録画が行える可搬型放送受信装置を構成しようとする場合においては、その小型化の観点及びコストの面から大容量のメモリを装備することは容易でない。そして、前記字幕データが含まれている放送を受信して録画を行う場合においても、記録されるデータ量は極力少ないのが望ましい。
【０００５】
この発明は、上記事情に鑑み、字幕データが含まれている放送を受信して録画を行う場合において、記録されるデータ量を極力少なくすることができる可搬型放送受信装置を提供することを目的とする。
【課題を解決するための手段】
【０００６】
この発明の可搬型放送受信装置は、上記の課題を解決するために、ディジタル放送を受信してトランスポートストリームを出力するチューナと、前記トランスポートストリームから目的チャンネルのパケットを分離するデマルチプレクサと、前記パケットを受け取って各データを生成するデコーダと、を備え、字幕文データ及び字幕管理データを含む字幕データが多重されたディジタル放送波を受信して字幕を画面に表示するように構成された可搬型放送受信装置において、受信したディジタル放送に前記字幕文データ及び字幕管理データが存在するかどうかを判断する字幕情報判断手段と、受信したディジタル放送から取り出した目的チャンネルの番組を記録する録画手段と、前記録画手段にて録画を実行する場合に前記字幕管理データについてはその記録を省く録画情報制御手段と、を備えたことを特徴とする。
【０００７】
上記の構成であれば、字幕データが含まれている放送を受信して録画を行う場合において、字幕データ中の字幕管理データを省いた各データが記録されるので、記録されるデータ量を極力少なくすることができる。
【０００８】
上記構成の可搬型放送受信装置において、前記目的チャンネルのトランスポートストリームをデコードして得られる各データを用いてパーシャルＴＳを再構成する手段を備え、前記録画情報制御手段は、前記パーシャルＴＳを再構成するときに前記字幕管理データを省くこととしてもよい。或いは、前記字幕情報判断手段は、前記目的チャンネルのトランスポートストリーム内に字幕管理データが存在するかどうかを監視して存在するときには字幕管理データのパケット特定情報を前記録画情報制御手段に与え、前記録画情報制御手段は、前記目的チャンネルのトランスポートストリームを前記録画手段に供給するとともに前記パケット特定情報に基づいて字幕管理データのパケットを前記トランスポートストリームから省くこととしてもよい。
【０００９】
これら構成の可搬型放送受信装置において、前記字幕情報判断手段の判断結果に基づいて字幕が無くなったかどうかを判断する手段を備え、前記録画情報制御手段は、字幕が無くなったと判断されたときに字幕非表示を示す情報を字幕データとして記録させることとしてもよい。
【発明の効果】
【００１０】
この発明によれば、字幕データが含まれている放送を受信して録画を行う場合において、記録されるデータ量を極力少なくすることができるという効果を奏する。
【発明を実施するための最良の形態】
【００１１】
以下、この発明の実施形態の可搬型放送受信装置を図１乃至図３に基づいて説明する。
【００１２】
図１はこの発明の実施形態の可搬型放送受信装置１０を示したブロック図である。地上アンテナ２１は、受信した信号を地上波ディジタルチューナ２２に与える。地上波ディジタルチューナ２２は、映像音声データを含む高周波ディジタル変調信号のうちから特定周波数の信号を取り出す。また、地上波ディジタルチューナ２２は、復調回路、逆インタリーブ回路、誤り訂正回路などを備え、選択したディジタル変調信号を復調してトランスポート・ストリームを出力し、このトランスポート・ストリームをデマルチプレクサ（ＤＥＭＵＸ）２３に与える。
【００１３】
デマルチプレクサ（ＤＥＭＵＸ）２３は、前記トランスポートストリームを、ＩＥＥＥにおけるＨ．２６４などのビデオストリーム、オーディオストリーム、字幕データ、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチプレクサ（ＤＥＭＵＸ）２３は、ビデオストリームを映像デコーダ２４に供給し、オーディオストリームを音声デコーダ２６に供給し、字幕データを字幕デコーダ２５に供給し、ＰＳＩ／ＳＩ（番組情報）をＣＰＵ１に供給する。ＣＰＵ１は番組情報をメモリ３に格納する。
【００１４】
映像デコーダ２４は、入力されたビデオストリームを復号して量子化係数や動きベクトルを求め、逆ＤＣＴ変換や動きベクトルに基づく動き補償制御などを行って映像データを生成する。この映像データは描画処理部２０に供給される。また、音声デコーダ２６は、オーディオストリームを復号して音声データを生成する。音声データはＤ／Ａ変換部２８によってアナログの音声信号に変換され、この音声信号はスピーカ２９に供給される。
【００１５】
字幕デコーダ２５は、字幕データ中の字幕文データに基づいて字幕文字を生成し、この字幕文字を描画処理部２０に供給する。描画処理部２０は受信映像上に前記字幕文字を重畳する処理を行う。そして、前記字幕が重畳された映像信号をディスプレイ（例えば、液晶パネル等）２７に供給する。
【００１６】
字幕有無判断部３３は、字幕データの有無を判断する（タイムアウト監視処理を行う）。すなわち、従来項でも述べたが、字幕管理データと字幕文データはそのストリーム中に字幕が存在することを示す。地上ディジタル放送では、字幕文データ及び字幕管理データの標準送出頻度が１０秒（±５秒）と規定されており、字幕文データ及び字幕管理データが所定時間以上送出されないと（検出されないと）、字幕が無くなったと判断することが可能である。字幕が無くなったことを示す信号は、字幕デコーダ２５及びＴＳ生成部３２に供給される。字幕デコーダ２５は、字幕が無くなったことを示す信号を受け取ると、字幕文字出力を停止する。
【００１７】
ＴＳ生成部３２は、各デコーダ２４，２５，２６から出力されるデータをそれぞれパケット化してトランスポートストリームを再構成する。このトランスポートストリーム再構成は番組録画時において実行される。このようにして再構成される記録用のトランスポートストリームは録画対象となる番組を構成するパーシャルＴＳとなる。また、ＴＳ生成部３２は、パーシャルＴＳの生成にあたって、字幕デコーダ２５から供給された字幕文字については字幕文データとしてこれをパーシャルＴＳ内に組み入れるが、字幕管理データについてはこれを省く処理を行う。別言すれば、字幕管理データは字幕デコーダ２５からＴＳ生成部３２へ供給されないし、ＴＳ生成部３２で字幕管理データを作成することもしない。更に、ＴＳ生成部３２は、字幕有無判断部３３から字幕が無くなったことを示す信号を受け取ったときに、字幕非表示を示す情報（字幕終了情報）を作成する。そして、この情報を前記字幕データとしてパーシャルＴＳ中に挿入する処理を実行する。すなわち、図３の（ａ）に示すように、元のＴＳに字幕管理データが存在していたとしても、同図の（ｂ）に示すように、録画される段階では、字幕データは、字幕文データと字幕終了情報だけから成る構成に再編される。字幕終了情報としては、字幕データの一つであるＣＳコマンド（クリア  スクリーン  コマンド）を用いることができる。勿論、当該可搬型放送受信装置独自のコードを用いることも可能である。
【００１８】
録画／再生制御部３０は字幕管理データが省かれたパーシャルＴＳをＴＳ生成部３２から受け取り、録画／再生部３１に供給する。また、録画／再生制御部３０は、再生時には、録画／再生部３１から字幕管理データ無しのパーシャルＴＳを読み出し、このパーシャルＴＳをデマルチプレクサ２３に供給する。デマルチプレクサ２３は、再生時には、前記パーシャルＴＳからビデオストリームや字幕データ等を分離して各デコーダに供給する。
【００１９】
なお、字幕有無判断部３３は、先述したごとく、字幕データが所定時間以上検出されないと、字幕が無くなったと判断するが、再生時においては、字幕終了情報が検出されたときに字幕が無くなったと判断し、字幕が無くなったことを示す信号を字幕デコーダ２５に供給する。
【００２０】
録画／再生部３１は、内蔵型の半導体メモリ、着脱可能なメモリカード、或いは小型のＨＤＤ（ハードディスクドライブ）などから成る。
【００２１】
操作キー部２には、電源ＯＮ／ＯＦＦキー、チャンネル選択キー、音量調整キー等が設けられる。なお、可搬型放送受信装置がＴＶ機能付き携帯電話として構成される場合、主として電話に関するキーが配置され、テレビ視聴はメニュー画面上で選択する構成となったり、数字キーを電話番号入力やチャンネル選択に共用する構成となったり、十字キー（方向キー）を機能選択キーやチャンネルアップダウンキーとして共用する構成となったりする場合がある。
【００２２】
メモリ（ＲＡＭ、ＲＯＭ、フラッシュメモリなど）３には、各種の動作プログラム、番組情報、各種設定情報などが格納される。
【００２３】
図２は受信番組の録画における字幕関連処理の一例を示したフローチャートである。受信したチャンネルのトランスポートストリームに字幕文データが存在すれば（ステップＳ１でＹＥＳ）、字幕デコーダ２５から字幕文字がＴＳ生成部３３に供給され、字幕文データが挿入されたパーシャルＴＳがＴＳ生成部３２によって生成される（ステップＳ２）。字幕有無判断部３３は、タイマーを始動してタイムアウト監視処理を開始し（ステップＳ３）、タイムアウトが生じたかどうかを判断する（ステップＳ４）。字幕データのタイムアウトが生じていなければ（ステップＳ４でＮＯ）、字幕有無判断部３３は字幕データ（字幕文データ又は字幕管理データ）を取得できたかどうかを判断する（ステップＳ５）。字幕データを取得できていないならばステップＳ４に進む。字幕データを取得できたときには、前記タイムアウト監視処理のタイマーリスタートを行い（ステップＳ６）、取得できた字幕データが字幕文データかどうかを判断する（ステップＳ７）。取得できた字幕データが字幕文データでないとき（すなわち、字幕管理データであるとき）には、ステップＳ４に進む。取得できた字幕データが字幕文データであるときには、字幕文データが挿入されたパーシャルＴＳがＴＳ生成部３２によって生成される（ステップＳ２）。
【００２４】
ステップＳ１で字幕文データ無しと判断されたとき、及びステップＳ４でタイムアウトが生じたと判断したとき、字幕処理中かどうかを判断する（ステップＳ８）。字幕処理中とは、録画用のパーシャルＴＳに字幕文データを挿入したが未だ字幕終了情報は挿入していない状態を意味している。字幕処理中であるときにはＴＳ生成部３２は字幕終了情報を作成し（ステップＳ９）、パーシャルＴＳに字幕終了情報を挿入する（ステップＳ１０）。そして、字幕有無判断部３３はタイムアウト監視を停止し（ステップＳ１１）、処理はステップＳ１に進む。
【００２５】
ここで、放送局側において字幕文字を比較的長い時間表示させることを意図するときには、字幕文データの送出の後に定期的（標準送出頻度期間内）に字幕管理データを繰り返し送出しなければならない。このような字幕が存在する番組を録画するときには、数多くの字幕管理データがメモリに記録されることになる。これに対し、字幕管理データの記録を省くことができる構成であれば、字幕管理データによってメモリが無意味に消費されるのを防止できることになる。
【００２６】
記録されるパーシャルＴＳには字幕終了情報が挿入されるので、このパーシャルＴＳを再生するときには、前記字幕終了情報を検出した時点で字幕表示を終了することになる。ただし、字幕終了情報は必須のものではない。字幕終了情報を記録しないパーシャルＴＳを再生するときには、或る表示中の字幕文は次の字幕文が表示されるまで表示され続けることになるだけである。
【００２７】
また、上記の実施例では、一旦デコードされた各データを用いてパーシャルＴＳを再構成することとしたが、これに限るものではない。例えば、録画のためのパーシャルＴＳをデマルチプレクサ２３が出力し、このパーシャルＴＳを録画／再生制御部３０が受け取ることとしてもよい。このとき、前記パーシャルＴＳ内に字幕管理データが存在するどうかを監視する監視部を設けておく。字幕データかどうかについてはパケットＩＤで判断することができるが、字幕データの中身が字幕文データか字幕管理データかはデコードを行わないと分からない。前記監視部は字幕データに対してデコードを行って字幕文データか字幕管理データかを判断し、字幕管理データであると判断したときには、そのパケットを特定する情報を録画／再生制御部３０に与える。この場合、録画／再生制御部３０は前記特定情報により特定されるパケットを前記パーシャルＴＳから省いて録画／再生部３１に供給すればよい。
【００２８】
また、デコード後の各エレメンタリストリームを圧縮してそれぞれ録画／再生部３１に記録するとともに、映像と音声の同期をとるためのタイミング情報を生成して録画／再生部３１に記録することとしてもよい。この場合、更に、字幕文データも記録し、且つその出現タイミング及び消去タイミング（字幕非表示を示す情報）も記録することで、字幕管理データの記録を省くこともできる。出現タイミングは例えば開始時からの経過時間情報を用いることができる。消去タイミングは例えば開始時からの経過時間情報或いは出現時からの経過時間情報を用いることができる。
【図面の簡単な説明】
【００２９】
【図１】この発明の実施形態の可搬型放送受信装置を示したブロック図である。
【図２】この発明の実施形態の処理内容を示したフローチャートである。
【図３】同図の（ａ）は元のトランスポートストリーム中の字幕データを示し、同図の（ｂ）は録画用に再構成されたトランスポートストリーム中の字幕データを示した説明図である。
【符号の説明】
【００３０】
１      ＣＰＵ
２      操作キー
３      メモリ
１０    可搬型放送受信装置
３０    録画／再生制御部
３１    録画／再生部
３２    ＴＳ生成部
３３    字幕有無判断部
【図１】
0004799152.tif 000002
【図２】
0004799152.tif 000003
【図３】
0004799152.tif 000004